(57)【要約】      （修正有）【課題】トルク調整機能を有するトルクスリーブを提供する。【解決手段】トルクスリーブは、両側にそれぞれ軸方向に挿入ホゾ１１及び軸方向に軸孔１３４を有する心軸１３を延伸し、該心軸１３の外周面の径方向に第１摩擦面１３２を設け、該軸孔１３４内周面は、それぞれ円錐形当接面１３４ａ及び結合部１３４ｂを設ける軸稈１と、外周面にそれぞれ該当接面１３４ａと接触する円錐形当接ヘッド１４１及び該結合部１３４ｂと螺合する接合部１４２をもうける該軸孔１３４内に取り付けられる調整部材１４と、軸方向の両側にそれぞれ該心軸１３をスリーブ接続させる軸溝２１及びスリーブ接続溝２２を開設し、該軸溝２１内部の径方向に該第１摩擦面１３２と接触を形成する第２摩擦面２１１を設ける軸筒２と、を含み、該調整部材１４を回転させる時、該接合部１４２及び該当接ヘッド１４１がそれぞれ該結合部１３４ｂ及び該接合部１４２に沿って軸方向に移動し、トルクを調整する。【選択図】図４
0003209166.tif 000002
【実用新案登録請求の範囲】
【請求項１】
径方向に凸縁を設け、該凸縁両側にそれぞれ軸方向に回転工具を接続させる挿入ホゾ及び心軸を延伸し、該心軸は、軸方向に該挿入ホゾに連通する軸孔を有し、外周面の軸方向及び径方向は、それぞれ少なくとも該軸孔と相通する溝及び第１摩擦面を設け、該軸孔内周面は、それぞれ円錐形当接面及び結合部を設ける軸稈と、
外周面にそれぞれ該当接面と接触する円錐形当接ヘッド及び該結合部と螺合する接合部をもうける該軸孔内に取り付けられる調整部材と、軸方向の両側にそれぞれ該心軸をスリーブ接続させる軸溝及び駆動ヘッドを挿入接続させるスリーブ接続溝を開設し、該軸溝内の径方向に該第１摩擦面と接触を形成する第２摩擦面を設ける軸筒と、
を含み、該調整部材を回転させる時、該接合部及び該当接ヘッドがそれぞれ該結合部及び該接合面に沿って軸方向に移動し、該心軸の外径寸法を変化させ、該第１摩擦面及び該第２摩擦面の接触面積を調整し、トルクを所定のトルク値に調整するトルク調整機能を有するトルクスリーブ。
【請求項２】
前記接合部の端面軸方向に断面が非円形であり、且つ工具を回転を連動させる回転孔を開設する請求項１に記載のトルク調整機能を有するトルクスリーブ。
【請求項３】
前記挿入ホゾ及び該スリーブ接続溝の断面が非円形であり、該心軸及び該軸溝の断面が円形である請求項１に記載のトルク調整機能を有するトルクスリーブ。
【請求項４】
前記心軸外周面は、径方向に嵌合部を凸設し、該軸溝内周面の該嵌合部に対応する一に該嵌合部を締結させる締結部を設ける請求項１に記載のトルク調整機能を有するトルクスリーブ。
【請求項５】
前記スリーブ接続溝に磁石を嵌合設置する請求項１に記載のトルク調整機能を有するトルクスリーブ。
【請求項６】
前記心軸は、該少なくとも１つの溝の周囲にそれぞれ油貯め領域を設ける請求項１に記載のトルク調整機能を有するトルクスリーブ。
【請求項７】
前記軸筒外周面にトルク値を指示することに用いる指示環を被せ設ける請求項１に記載のトルク調整機能を有するトルクスリーブ。
【請求項８】
径方向に凸縁を設け、該凸縁両側にそれぞれ軸方向に回転工具を接続させる挿入ホゾ及び心軸を延伸し、該心軸は、軸方向に該挿入ホゾに連通する軸孔を有し、外周面の軸方向及び径方向は、それぞれ少なくとも該軸孔と相通する溝及び第１摩擦面を設け、該軸孔内周面は、それぞれ円錐形当接面及び結合部を設ける軸稈と、
外周面にそれぞれ該当接面と接触する円錐形当接ヘッド及び該結合部と螺合する接合部をもうける該軸孔内に取り付けられる調整部材と、軸方向の両側にそれぞれ該心軸をスリーブ接続させる軸溝及び駆動ヘッドを挿入接続させるスリーブ接続溝を開設し、該軸溝内の径方向に該第１摩擦面と接触を形成する第２摩擦面を設ける軸筒と、
を含み、該心軸は、それぞれ該凸縁に当接する弾性体及び該心軸上の軸方向に移動でき且つ複数の単一方向の活動ラチェット歯を軸方向に環設した活動ラチェットをスリーブ接続し、該軸溝及び該第２摩擦面の間に該活動ラチェットを被せ設けさせる収容溝を形成し、該収容溝内に複数の単一方向の固定ラチェット歯を単一方向に環設した固定ラチェットを固定設置し、該固定ラチェット及び該活動ラチェットを噛み合わせ、該調整部材を回転させる時、該接合部及び該当接ヘッドがそれぞれ該結合部及び該接合面に沿って軸方向に移動し、該心軸の外径寸法を変化させ、該第１摩擦面及び該第２摩擦面の接触面積を調整し、該心軸の該軸溝内の回転が該所定のトルクを超える時、該心軸は、該軸溝内で空回りを形成し、該活動ラチェット歯を該固定ラチェット歯に沿って回転噛み合わせさせ、該活動ラチェットを軸方向に弾性移動させ、音を発生するトルク調整機能を有するトルクスリーブ。
【請求項９】
前記接合部の端面軸方向に断面が非円形であり、且つ工具を回転を連動させる回転孔を開設する請求項８に記載のトルク調整機能を有するトルクスリーブ。
【請求項１０】
前記挿入ホゾ及び該スリーブ接続溝の断面が非円形であり、該心軸及び該軸溝の断面が円形である請求項８に記載のトルク調整機能を有するトルクスリーブ。
【請求項１１】
前記心軸外周面は、径方向に嵌合部を凸設し、該軸溝内周面の該嵌合部に対応する一に該嵌合部を締結させる締結部を設ける請求項８に記載のトルク調整機能を有するトルクスリーブ。
【請求項１２】
前記スリーブ接続溝に磁石を嵌合設置する請求項８に記載のトルク調整機能を有するトルクスリーブ。
【請求項１３】
前記心軸は、該少なくとも１つの溝の周囲にそれぞれ油貯め領域を設ける請求項８に記載のトルク調整機能を有するトルクスリーブ。
【請求項１４】
前記軸筒外周面にトルク値を指示することに用いる指示環を被せ設ける請求項８に記載のトルク調整機能を有するトルクスリーブ。
【請求項１５】
前記活動ラチェットは、径方向に少なくとも１つの限位溝を開設し、限位ピンを各該限溝に貫通し、該心軸の径方向に開設する第１ピンホール内に挿入接続し、該活動ラチェットを該心軸上の軸方向に移動させ、該固定ラチェットは、径方向に少なくとも１つの位置決め溝を開設し、位置決めピンを該軸溝の径方向に開設する第２ピンホールに貫通させ、各該位置決め溝内に挿入し、該固定ラチェットを該収容溝内で回転しないようにする請求項８に記載のトルク調整機能を有するトルクスリーブ。
【請求項１６】
前記弾性体は、バネ又は皿バネから選択される請求項８に記載のトルク調整機能を有するトルクスリーブ。
【考案の詳細な説明】
【技術分野】
【０００１】
本考案は、トルクスリーブに関し、特に、トルク調整機能を有するトルクスリーブに関し、該トルクスリーブの一旦は、手動、空気圧動、電動出力の回転工具にスリーブ接続し、他端は、駆動ヘッドにスリーブ接続する。
【背景技術】
【０００２】
ドライバーは、主に所定の長さの把手及び駆動ヘッドを有する駆動ロッドから構成され、該駆動ヘッドは、一般に−字型又は＋字型があり、螺子頭部の−字型又は＋字型の凹溝に合わせ、螺子のロック又はリリースに有利である。前記ドライバーの駆動ヘッドは、固定形状及び寸法であるので、異なる造形及び寸法の駆動ヘッドに交換することができない。
【０００３】
前記ドライバーの欠陥に基づき、関連業者は、駆動ヘッドを交換可能な手動工具、例えば、レンチを開発しており、該レンチは、スリーブを接続した後、該スリーブ底端の挿入溝は、異なる造形及び寸法の駆動ヘッドをスリーブ接続することができ、各種タイプの螺子に用いることができる。従って、該スリーブは、ただトルグの伝達工具であり、自身は、定量的なトルク機構の設定がない。
【０００４】
従来のドライバー、レンチ等の回転工具は、光学器、例えば、モニタのレンズ調整に用いられ、回転工具のトルク値は、使用者の施力の大きさにより決定され、調整過程において、往々にしてトルクが過度に大きく、レンズを破壊し、大きな損失を招く。
【０００５】
使用者がドライバー、レンチ等の回転工具を使用して接続部材を回転させ、例えば、螺子を回転させる力が螺子の耐えられる範囲を超え、螺子やまの損壊を招く。従って、現在、バネ及びボールを利用した伝動構造がトルク出力を制限することに用いられるドライバーがあり、該ドライバーの使用時、トルクが過度に大きい時、ボールは、バネと分離し、ドライバーとその駆動ヘッドの分離を招き、ドライバー及びその駆動ヘッドに空回りを形成させ、従って、ドライバーが定量のトルクのみを出力するように制御することができ、接続部材の損壊を回避する。
【０００６】
バネとボールの伝動を利用したドライバーは、トルクの提供の出力を制御できるが、バネとボールが滑り落ちる時が点接触であり、部材の変形及び損壊を招き易く、従って、制限されるトルク出力値が相当に不安定である。また、前記ドライバーは、バネとボールの伝動構造において、ドライバーの寸法を有効に縮小することができず、精密計器の固定作業に対して全く使用できず、改善の余地がある。
【０００７】
前記回転工具の欠陥に基づき、本考案者が有する台湾特許公告第Ｍ４１４２９９号特許（中国特許公告第ＣＮ２０１９９８１１３Ｕ号特許、米国特許公告第８，５４９，９６３ Ｂ２号特許、日本特許公告第Ｕ３１７４１５３号特許、ドイツ特許出願第１０２０１２００５８８５．３号特許出願に対応）が示す「トルク型スリーブ」を例と死、該トルク型スリーブの螺合過程において、スリーブの所定のトルク値を超えない時、螺子は、ねじ込みを持続でき、螺子が所定の位置まで回転し、且つ所定のトルク値を超える時、心軸が軸溝内に空回りを生成し、螺子が過度に締められることがないようにし、前記回転工具の欠陥を改善する。
【０００８】
しかしながら、該トルク型スリーブは、トルク調整の機能を有さず、往々にして製造材料の公差の要因により、トルクが往々にして所定値に達することができなくなり、使用上のトルク出力の不足又は過大の状況を招く。従って、出荷前にトルクスリーブのトルクの偏差を如何に所定のトルク値に調整可能にするかは、克服が期待される課題である。
【先行技術文献】
【特許文献】
【０００９】
【特許文献１】特開2016-75361号公報
【考案の概要】
【考案が解決しようとする課題】
【００１０】
本考案の目的は、トルク調整機能を有し、該トルクスリーブのトルク偏差を所定のトルク値に調整可能にするトルクスリーブを提供することにある。
【課題を解決するための手段】
【００１１】
前記の目的を達成する為、本考案が採用する技術手段は、径方向に凸縁を設け、該凸縁両側にそれぞれ軸方向に回転工具を接続させる挿入ホゾ及び心軸を延伸し、該心軸は、軸方向に該挿入ホゾに連通する軸孔を有し、外周面の軸方向及び径方向は、それぞれ少なくとも該軸孔と相通する溝及び第１摩擦面を設け、該軸孔内周面は、それぞれ円錐形当接面及び結合部を設ける軸稈と、外周面にそれぞれ該当接面と接触する円錐形当接ヘッド及び該結合部と螺合する接合部をもうける該軸孔内に取り付けられる調整部材と、軸方向の両側にそれぞれ該心軸をスリーブ接続させる軸溝及び駆動ヘッドを挿入接続させるスリーブ接続溝を開設し、該軸溝内の径方向に該第１摩擦面と接触を形成する第２摩擦面を設ける軸筒と、を含み、該調整部材を回転させる時、該接合部及び該当接ヘッドがそれぞれ該結合部及び該接合面に沿って軸方向に移動し、該心軸の外径寸法を変化させ、該第１摩擦面及び該第２摩擦面の接触面積を調整し、トルクを所定のトルク値に調整するトルク調整機能を有するトルクスリーブを提供する。
【００１２】
本考案のもう１つの目的は、該トルクスリーブのトルク偏差を所定のトルク値に調整可能にし、更に、所定のトルク値を超えるか、接続部材をロックした時に音を発生することができ、且つ接続部材をリリースする時に不可逆機能を有する、トルク調整機能を有するトルクスリーブを提供する。
【００１３】
前記目的を達成する為、本考案が採用する技術手段は、径方向に凸縁を設け、該凸縁両側にそれぞれ軸方向に回転工具を接続させる挿入ホゾ及び心軸を延伸し、該心軸は、軸方向に該挿入ホゾに連通する軸孔を有し、外周面の軸方向及び径方向は、それぞれ少なくとも該軸孔と相通する溝及び第１摩擦面を設け、該軸孔内周面は、それぞれ円錐形当接面及び結合部を設ける軸稈と、外周面にそれぞれ該当接面と接触する円錐形当接ヘッド及び該結合部と螺合する接合部をもうける該軸孔内に取り付けられる調整部材と、軸方向の両側にそれぞれ該心軸をスリーブ接続させる軸溝及び駆動ヘッドを挿入接続させるスリーブ接続溝を開設し、該軸溝内の径方向に該第１摩擦面と接触を形成する第２摩擦面を設ける軸筒と、を含み、該心軸は、それぞれ該凸縁に当接する弾性体及び該心軸上の軸方向に移動でき且つ複数の単一方向の活動ラチェット歯を軸方向に環設した活動ラチェットをスリーブ接続し、該軸溝及び該第２摩擦面の間に該活動ラチェットを被せ設けさせる収容溝を形成し、該収容溝内に複数の単一方向の固定ラチェット歯を単一方向に環設した固定ラチェットを固定設置し、該固定ラチェット及び該活動ラチェットを噛み合わせ、該調整部材を回転させる時、該接合部及び該当接ヘッドがそれぞれ該結合部及び該接合面に沿って軸方向に移動し、該心軸の外径寸法を変化させ、該第１摩擦面及び該第２摩擦面の接触面積を調整し、該心軸の該軸溝内の回転が該所定のトルクを超える時、該心軸は、該軸溝内で空回りを形成し、該活動ラチェット歯を該固定ラチェット歯に沿って回転噛み合わせさせ、該活動ラチェットを軸方向に弾性移動させ、音を発生するトルク調整機能を有するトルクスリーブを提供する。
【考案の効果】
【００１４】
本考案のトルクスリーブは、トルク調整機能を有し、該トルクスリーブのトルク偏差を所定のトルク値に調整可能にする。
【図面の簡単な説明】
【００１５】
【図１】本考案のトルクスリーブの２つの異なる視角の立体分解図である。
【図２】本考案のトルクスリーブの２つの異なる視角の立体分解図である。
【図３】本考案のトルクスリーブの組み立て後の立体図である。
【図４】図３の線Ａ−Ａに沿って切り取った断面図である。
【図５】本考案のトルクスリーブ、回転工具及び駆動ヘッドの立体分解図である。
【図６】本考案のトルクスリーブ、回転工具及び駆動ヘッドの組み立て後の立体図である。
【考案を実施するための形態】
【００１６】
図１〜図４に示すように、基本的に、本考案のトルクスリーブは、軸稈１及び軸筒２を含んで構成される。
【００１７】
そのうち、該軸稈１は、ロッド体であり、その軸方向の一側に断面が非円形、例えば、六角形である挿入ホゾ１１を設け、該挿入ホゾ１１内側に径方向に凸縁１２を形成し、該凸縁１２両側を該軸筒２及び図５に示すような回転工具３、例えばドライバーの柄の底部の接続ロッド３１に隣接する。該凸縁１２の他側は、断面が円形である心軸１３を延伸し、該心軸１３の外周軸に少なくとも１つの溝１３１を軸方向に開設し、該心軸１３に適当な弾性を提供する。また、該心軸１３外周面は、径方向に部分的に凹む第１摩擦面１３２及び突起した嵌合部１３３を形成し、且つ該心軸１３の軸方向に該挿入ホゾ１１に連通する軸孔１３４を設け、該軸孔１３４及び該少なくとも１つの溝１３１と相通する。
【００１８】
また、該心軸１３は、該少なくとも１つの溝１３１周囲にそれぞれフライスで粉砕した油貯め領域１３５を設け、潤滑油の収容箇所とし、該心軸１３が軸筒２内で回転する時の潤滑性を向上する。
【００１９】
また、該心軸１３の第１摩擦面１３２は、径方向に拡張又は収縮する機能を有し、従って、該軸孔１３４一端（内側）の内周面に円錐形の接合面１３４ａを設け、中段は、結合部１３４ｂ、例えば、内ねじ山を形成し、該軸孔１３３の他側（外側）は、工具、例えば、六角レンチを挿入させることができる。
【００２０】
該軸孔１３４内に調整部材１４を含み、該調整部材１４外周面の両端にそれぞれ円錐形当接ヘッド１１４及び接合部１４２、例えば、外ねじ山を設ける。該接合部１４２の端面に軸方向に断面が非円形、例えば、六角形である回転孔１４３を更に開設する（図２参照）。組み立て時、使用者は、該調整部材１４を該軸孔１３４内に挿入し、該当接ヘッド１４１を回転し、該接合部１４２を該接合部１３４ｂに螺合させ、該当接ヘッド１４１を該接合面１３４ｂ内に収容させ、両者の円錐面に接触を形成させる。
【００２１】
特に、該心軸１３は、該凸縁１２内側に順に弾性体１５、例えば、バネ、皿バネ及び心軸１３上に軸方向に移動可能な活動ラチェット１６をスリーブ接続し、該活動ラチェット１６の内外側にそれぞれ軸方向に複数の単一方向の活動ラチェット歯１６１を環設氏、径方向に少なくとも１つの限位溝１６２を開設し、また、限位ピン１６３を該限位溝１６２に貫通させ、該心軸１３の径方向に予め設ける第１ピンホール１３６内に挿入し、該活動ラチェット１６を該心軸１３上の軸方向の弾性変位させることができる。
【００２２】
該軸筒２は、中空柱体であり、その軸方向の両側にそれぞれ断面が円形である軸溝２１及び断面が非円形、例えば六角形であるスリーブ接続溝２２を開設する。該軸溝２１の寸法が心軸１３よりやや小さく、両者を従来の緊密に合わせる方式で嵌め込み接続し、停滞位置決め効果を有する回転軸構造を形成する。そのうち、該軸溝２１は、階級状の円孔であり、その内周面は、該心軸１３の該第１摩擦面１３２及び該嵌合部１３３の位置に対応してそれぞれ第２摩擦面２１１及び締結部２１２を設け、該嵌合部１３３は、締結部２１２に締結し、該軸稈１及び軸筒２を軸方向に離脱しないようにする。該第２摩擦面２１１は、該第１摩擦面１３２と密合することができ、両者間にトルクを形成させる。
【００２３】
該軸溝２１外側の開口及び該第２摩擦面２１１の間に該活動ラチェット１６を被せ設けさせる収容溝２１３を形成し、該収容溝２１３内に固定ラチェット２３を固定設置し、該固定ラチェット２３内側を該収容溝２１３内の径方向に設置する係止縁２１４に当接し、該固定ラチェット２３の外内側は、それぞれ軸方向に複数の単一方向の固定ラチェット２３１を環設し、径方向に少なくとも１つの位置決め溝２３２を開設し、更に、位置決めピン２３３を該軸溝２１外周面の径方向に予め設ける第２ピンホール２１５に貫通させ、該位置決め溝２３２内に挿入接続する。該固定ラチェット２３を該収容溝２１３内に固定設置させ、回転させないようにする。
【００２４】
該スリーブ接続溝２２は、図５に示すような駆動ヘッド４のスリーブ接続ロッド４１をスリーブ接続位置決めさせ、該駆動ヘッド４の自由端の実施時は、一字型、十字型又は幾何造形のホゾヘッド４２であることができるが、これは、従来技術であり、ここでは、詳細を記載しない。駆動ヘッド４に磁力を持たせるため、該スリーブ接続溝２２内に磁石２４を嵌合設置し、スリーブ接続する駆動ヘッド４に磁力をもたせ、磁気感応性材料で製造される接続部材、例えば、螺子を吸着する。
【００２５】
特に、該軸筒２外周面は、例えば、トルク値を示すことに用いる指示環２５を粘着し、該指示環２５は、該トルクスリーブの外周面に被せ設け、例えば、０．６Ｎｍ（ニュートン-メートル）、０．９Ｎｍ、１．２Ｎｍ、１．４Ｎｍ、２．０Ｎｍ、３．０Ｎｍ、５．０Ｎｍ、５．５Ｎｍ等であり、従って、異なるトルク値の該トルクスリーブの異なる色の指示環２５を指示とし、例えば、０．６Ｎｍ規格のトルクスリーブが赤色の指示環２５を使用し、０．９Ｎｍ規格のトルクスリーブは、黄色の指示環２５を使用する。
【００２６】
図１〜図４を参照し、組み立て時、該軸稈１の心軸１３を該軸筒２の軸溝２１内に挿入し、該心軸１３の嵌合部１３３を該軸溝２１の締結部２１２に締結し、該軸稈１及び該軸筒に軸方向の分離を発生させないようにする。この時、該心軸１３がスリーブ接続する活動ラチェット１６は、弾性体１５の開放により、該活動ラチェット１６及び固定ラチェット２３の単一方向の活動ラチェット歯１６１と固定ラチェット歯２３１を互いに?み合わせ、即ち、図３及び図４が示すトルクスリーブとなる。
【００２７】
トルク偏差値の調整を欲する場合、メーカーの組み立てスタッフは、工具、例えば、六角レンチで該軸孔１３４を貫通させ、該回転孔１４３内に挿入回転し、該調整部材１４を該軸孔１３４内で軸方向に移動させ、該当接ヘッド１４１を該当接面１３４ａに沿って移動させ、該心軸１３の外径の寸法を変化させ、例えば、径方向に拡張又は収縮させ、該第１摩擦面１３２及び該第２摩擦面２１１の接触面積を調整し、トルクを所定のトルク値に調整する。
【００２８】
図５に示すように、該軸稈１の挿入ホゾ１１は、回転工具３、例えば、ドライバーの柄の底部の接続ロッド３１の挿入溝３２内に挿入され、該軸筒２のスリーブ接続溝２２は、選定された駆動ヘッド４をスリーブ接続し、図６に示すような結合形態を形成する。そのうち、回転工具３は、示されるドライバーの柄に制限するものではない。即ち、本考案が示すトルクスリーブは、空気圧動又は伝導の回転工具に応用することもでき、予期するロック又はリリースの機能を発揮する。
【００２９】
本考案の実際の操作時、先ず、該駆動ヘッド４のホゾヘッド４２を被結合物、例えば、モニタのレンズ周囲の接続部材、例えば、螺子頭部の凹溝に位置合わせし、その後、手部で回転工具３を回転させ、該軸稈１を該軸筒２及び該駆動ヘッド４を連動して同期回転させ、ロック作業を行い、螺合過程において、該トルクスリーブの所定のトルク値を越えない時、該螺子は、ねじ込みを持続でき、該螺子が既に所定の位置まで回転（ロック）するか、所定のトルク値を超える時、該心軸１３は、該軸溝２１内に空回りを形成し、該心軸１３がスリーブ接続する該活動ラチェット１６の活動ラチェット歯１６１を該固定ラチェット２３の固定ラチェット歯２３１に沿って回転噛み合わせし、軸方向に弾性移動させ、音を発せし、使用者に既に螺子がロック状態又は所定のトルク値に達したことを警告し、レンズを螺子で過度に締めて押圧により破裂を起こすことがないようにする。
【００３０】
従って、本考案の実施によって、増益の効果は、該調整部材の該心軸内で軸方向に移動調整することにより、該心軸の外径の寸法を変化させ、例えば、径方向に拡張又は収縮し、該心軸及び該軸溝の接触面積を調整し、トルクを所定のトルク値に調整し、また、該心軸に該軸溝と相対して設置される不可逆ラチェット構造により、螺合の不当によりトルクが接続部材の耐えられる範囲を超える時、該心軸は、軸溝内に空回りを形成し、同時に該不可逆ラチェット構造に音を発生させ、告知させ、不要な損失を招くことを回避する。更に、該不可逆ラチェット構造の該活動ラチェット及び該固定ラチェットは、単一方向に且つ相互に噛み合い、不可逆機能を有し、接続部材のリリース作業の進行を補助し、同類物品に前代未聞の良好な構造となっている。
【００３１】
上記の実施例は、本発明の実施形態を例示すること、及び本発明の技術特徴を理解することに用いるものであり、本発明の保護範疇を制限することに用いるのではない。
【符号の説明】
【００３２】
１  軸稈
１１  挿入ホゾ
１２  凸縁
１３  心軸
１３１  溝
１３２  第１摩擦面
１３３  嵌合部
１３４  軸孔
１３４ａ  当接面
１３４ｂ  結合部
１３５  油溜め領域
１３６  第１ピンホール
１４  調整部材
１４１  当接ヘッド
１４２  接合部
１４３  回転孔
１５  弾性体
１６  活動ラチェット
１６１  活動ラチェット歯
１６２  限位溝
１６３  限位ピン
２  軸筒
２１  軸溝
２１１  第２摩擦面
２１２  締結部
２１３  収容溝
２１４  係止縁
２１５  第２ピンホール
２２  スリーブ接続溝
２３  固定ラチェット
２３１  固定ラチェット歯
２３２  位置決め溝
２３３  位置決めピン
２４  磁石
２５  指示環
３  回転工具
３１  接続ロッド
３２  挿入溝
４  駆動ヘッド
４１  スリーブ接続ロッド
４２  ホゾヘッド
【図１】
0003209166.tif 000003
【図２】
0003209166.tif 000004
【図３】
0003209166.tif 000005
【図４】
0003209166.tif 000006
【図５】
0003209166.tif 000007
【図６】
0003209166.tif 000008
【手続補正書】
【提出日】平成28年12月28日(2016.12.28)
【手続補正１】
【補正対象書類名】実用新案登録請求の範囲
【補正対象項目名】全文
【補正方法】変更
【補正の内容】
【実用新案登録請求の範囲】
【請求項１】
径方向に凸縁を設け、該凸縁両側にそれぞれ軸方向に回転工具を接続させる挿入ホゾ及び心軸を延伸し、該心軸は、軸方向に該挿入ホゾに連通する軸孔を有し、外周面の軸方向及び径方向は、それぞれ少なくとも該軸孔と相通する溝及び第１摩擦面を設け、該軸孔内周面は、それぞれ円錐形当接面及び結合部を設ける軸稈と、
外周面にそれぞれ該当接面と接触する円錐形当接ヘッド及び該結合部と螺合する接合部をもうける該軸孔内に取り付けられる調整部材と、軸方向の両側にそれぞれ該心軸をスリーブ接続させる軸溝及び駆動ヘッドを挿入接続させるスリーブ接続溝を開設し、該軸溝内の径方向に該第１摩擦面と接触を形成する第２摩擦面を設ける軸筒と、
を含み、該調整部材を回転させる時、該接合部及び該当接ヘッドがそれぞれ該結合部及び接合面に沿って軸方向に移動し、該心軸の外径寸法を変化させ、該第１摩擦面及び該第２摩擦面の接触面積を調整し、トルクを所定のトルク値に調整するトルク調整機能を有するトルクスリーブ。
【請求項２】
前記接合部の端面軸方向に断面が非円形であり、且つ工具の回転を連動させる回転孔を開設する請求項１に記載のトルク調整機能を有するトルクスリーブ。
【請求項３】
前記挿入ホゾ及び該スリーブ接続溝の断面が非円形であり、該心軸及び該軸溝の断面が円形である請求項１に記載のトルク調整機能を有するトルクスリーブ。
【請求項４】
前記心軸外周面は、径方向に嵌合部を凸設し、該軸溝内周面の該嵌合部に対応する位置に該嵌合部を締結させる締結部を設ける請求項１に記載のトルク調整機能を有するトルクスリーブ。
【請求項５】
前記スリーブ接続溝に磁石を嵌合設置する請求項１に記載のトルク調整機能を有するトルクスリーブ。
【請求項６】
前記心軸は、該少なくとも１つの溝の周囲にそれぞれ油貯め領域を設ける請求項１に記載のトルク調整機能を有するトルクスリーブ。
【請求項７】
前記軸筒外周面にトルク値を指示することに用いる指示環を被せ設ける請求項１に記載のトルク調整機能を有するトルクスリーブ。
【請求項８】
径方向に凸縁を設け、該凸縁両側にそれぞれ軸方向に回転工具を接続させる挿入ホゾ及び心軸を延伸し、該心軸は、軸方向に該挿入ホゾに連通する軸孔を有し、外周面の軸方向及び径方向は、それぞれ少なくとも該軸孔と相通する溝及び第１摩擦面を設け、該軸孔内周面は、それぞれ円錐形当接面及び結合部を設ける軸稈と、
外周面にそれぞれ該当接面と接触する円錐形当接ヘッド及び該結合部と螺合する接合部をもうける該軸孔内に取り付けられる調整部材と、軸方向の両側にそれぞれ該心軸をスリーブ接続させる軸溝及び駆動ヘッドを挿入接続させるスリーブ接続溝を開設し、該軸溝内の径方向に該第１摩擦面と接触を形成する第２摩擦面を設ける軸筒と、
を含み、該心軸は、それぞれ該凸縁に当接する弾性体及び該心軸上の軸方向に移動でき且つ複数の単一方向の活動ラチェット歯を軸方向に環設した活動ラチェットをスリーブ接続し、該軸溝及び該第２摩擦面の間に該活動ラチェットを被せ設けさせる収容溝を形成し、該収容溝内に複数の単一方向の固定ラチェット歯を単一方向に環設した固定ラチェットを固定設置し、該固定ラチェット及び該活動ラチェットを噛み合わせ、該調整部材を回転させる時、該接合部及び該当接ヘッドがそれぞれ該結合部及び接合面に沿って軸方向に移動し、該心軸の外径寸法を変化させ、該第１摩擦面及び該第２摩擦面の接触面積を調整し、該心軸の該軸溝内の回転が該所定のトルクを超える時、該心軸は、該軸溝内で空回りを形成し、該活動ラチェット歯を該固定ラチェット歯に沿って回転噛み合わせさせ、該活動ラチェットを軸方向に弾性移動させ、音を発生するトルク調整機能を有するトルクスリーブ。
【請求項９】
前記接合部の端面軸方向に断面が非円形であり、且つ工具の回転を連動させる回転孔を開設する請求項８に記載のトルク調整機能を有するトルクスリーブ。
【請求項１０】
前記挿入ホゾ及び該スリーブ接続溝の断面が非円形であり、該心軸及び該軸溝の断面が円形である請求項８に記載のトルク調整機能を有するトルクスリーブ。
【請求項１１】
前記心軸外周面は、径方向に嵌合部を凸設し、該軸溝内周面の該嵌合部に対応する位置に該嵌合部を締結させる締結部を設ける請求項８に記載のトルク調整機能を有するトルクスリーブ。
【請求項１２】
前記スリーブ接続溝に磁石を嵌合設置する請求項８に記載のトルク調整機能を有するトルクスリーブ。
【請求項１３】
前記心軸は、該少なくとも１つの溝の周囲にそれぞれ油貯め領域を設ける請求項８に記載のトルク調整機能を有するトルクスリーブ。
【請求項１４】
前記軸筒外周面にトルク値を指示することに用いる指示環を被せ設ける請求項８に記載のトルク調整機能を有するトルクスリーブ。
【請求項１５】
前記活動ラチェットは、径方向に少なくとも１つの限位溝を開設し、限位ピンを各該限位溝に貫通し、該心軸の径方向に開設する第１ピンホール内に挿入接続し、該活動ラチェットを該心軸上の軸方向に移動させ、該固定ラチェットは、径方向に少なくとも１つの位置決め溝を開設し、位置決めピンを該軸溝の径方向に開設する第２ピンホールに貫通させ、各該位置決め溝内に挿入し、該固定ラチェットを該収容溝内で回転しないようにする請求項８に記載のトルク調整機能を有するトルクスリーブ。
【請求項１６】
前記弾性体は、バネ又は皿バネから選択される請求項８に記載のトルク調整機能を有するトルクスリーブ。